(57)【要約】【課題】ＣＰＵから表示装置に継続して画像データを送ることによるＣＰＵの消費電力を低減する携帯端末装置およびその情報表示方法を提供する。【解決手段】携帯端末装置１０の表示部（ＬＣＤ表示部）２０は、画像記憶部２１および表示パネル２２を備えている。ユーザが携帯端末装置１０を操作する期間中には、ＣＰＵ１２から表示制御部１７を介して表示部２０に更新された画像データを送り続ける。一方、ユーザが携帯端末装置１０の操作を中止している期間中は、ＣＰＵ１２から表示部２０の画像記憶部２１に予め格納された休止画像データを表示パネル２２に表示して、ＣＰＵ１２の画像送信動作を休止させ消費電力を低減する。【選択図】図２
2005208455.tif 000002
【特許請求の範囲】
【請求項１】
ＣＰＵに取り込まれた画像データを表示制御部を介して表示部へ送り、前記画像データを前記表示部の表示パネルに表示する携帯端末装置の情報表示方法において、
休止期間中に前記表示部の表示パネルに表示する休止画像データを予め前記表示部に格納することと、ユーザが前記携帯端末装置を操作中には前記ＣＰＵから送られる画像データを前記表示部の表示パネルに表示し、ユーザが前記携帯端末装置の操作を休止する期間中には、前記格納された休止画像データを前記表示部の表示パネルに表示することとよりなることを特徴とする携帯端末装置の情報表示方法。
【請求項２】
前記ＣＰＵから送られる画像データが前記休止画像データと一部分のみ相違する場合には、前記休止画像データの前記一部分のみ更新して前記表示部の表示パネルに表示することを特徴とする請求項１に記載の携帯端末装置の情報表示方法。
【請求項３】
前記携帯端末装置が休止状態から操作状態となるとき、前記ＣＰＵからの画像データおよび前記休止画像データを組み合わせて前記表示部の表示パネルに表示することを特徴とする請求項１又は２に記載の携帯端末装置の情報表示方法。
【請求項４】
前記休止画像として複数の休止画像データが格納されることを特徴とする請求項１、２又は３に記載の携帯端末装置の情報表示方法。
【請求項５】
基地局を介して無線により情報を送受信し、該送受信する情報をＣＰＵから表示制御部を介して表示部へ送り、該表示部の表示パネルに表示する携帯端末装置において、
前記表示部は画像記憶部を備え、前記ＣＰＵから送られる画像データを休止画像データとして予め格納し、前記ＣＰＵから更新された画像データが送信されないとき前記表示部の表示パネルには前記画像記憶部に格納された休止画像データを表示することを特徴とする携帯端末装置。
【請求項６】
前記画像記憶部は、複数の画像データを前記休止画像データとして格納することを特徴とする請求項５に記載の携帯端末装置。
【請求項７】
前記表示部の表示パネルはカラー液晶パネルであり、前記表示制御部は前記ＣＰＵから送られる画像データをＲＧＢ信号に変換することを特徴とする請求項５又は６に記載の携帯端末装置。
【発明の詳細な説明】
【技術分野】
【０００１】
本発明は携帯端末装置およびその情報表示方法に関し、特に内蔵電池で動作する携帯電話等の携帯端末において送受信情報を表示する表示装置の消費電力を低減する携帯端末装置およびその情報表示方法に関する。
【背景技術】
【０００２】
携帯電話、ＰＨＳ（Personal  Handy-phone  System）およびＰＤＡ（Personal  Digital  Assistant）等の携帯端末装置は、複数の半導体集積回路（ＩＣ）等により構成される電子回路および情報出力装置としての液晶表示パネル（ＬＣＤ）等の表示装置を含んでいる。この携帯端末装置は、小型軽量に設計して携帯性を良好にすると共に内蔵電池で駆動されるために低消費電力化を図り、１回の充電による使用時間をできる限り長くすることが重要である。
【０００３】
内蔵電池で駆動される電子機器の低消費電力化に関する従来技術は、種々の文献に開示されている。画像を表示するＬＣＤパネル、このＬＣＤパネルに表示する画像データを記憶するビデオＲＡＭおよびＣＰＵの制御下でビデオＲＡＭおよびＬＣＤパネルをコントロールするコントローラにより構成され、表示装置の省電力化を図る表示装置の省電力制御方式が開示されている（例えば、特許文献１参照。）。
【０００４】
また、液晶表示パネル、少なくとも１画面分の画像データを記憶するビデオＲＡＭ、１画素分の画像データと１つ前の１画素分の画像データを比較する保持データ切替回路等を含み、消費電力の低減を図る表示装置が開示されている（例えば、特許文献２参照。）。
【０００５】
更に、記憶回路、演算処理回路および表示処理回路、表示装置およびＧＰＵ（Graphic
Processing Unit）を有し、ＧＰＵの演算量を低減して低消費電力化する表示装置およびこれを用いた表示システムが開示されている（例えば、特許文献３参照。）。
【特許文献１】特開２０００-５６７４０号公報（第２-３頁、第１図）
【特許文献２】特開２００３-１８６４４５号公報（第４-５頁、第１図）
【特許文献３】特開２００３-１６７５５８号公報（第７-８頁、第１図）
【発明の開示】
【発明が解決しようとする課題】
【０００６】
動画表示のため、表示応答性の良いＲＧＢ（Red、 Green、 Blue）信号インターフェースを持つＬＣＤ表示部が使用されることが多くなってきている。しかし、ＲＧＢ信号インターフェースを持つ従来のＬＣＤ表示部は、このＬＣＤ表示部の内部に画像用メモリを持たないため、消費電力の大きいＣＰＵ（Central
Processing Unit：中央処理装置）が常に画像データを送信しなければならない。そのために、携帯電話装置の消費電流を低減して内蔵電池の動作時間を延ばすことが困難であった。
【０００７】
本発明は従来技術の上述した課題に鑑みなされたものであり、ＲＧＢ信号インターフェースを持つＬＣＤ表示部の消費電力を低減して内蔵電池の動作時間を延ばす携帯端末装置およびその情報表示方法を提供することを目的とする。
【課題を解決するための手段】
【０００８】
前述の課題を解決するため、本発明による携帯端末装置およびその情報表示方法は、次のような特徴的な構成を採用している。
【０００９】
（１）ＣＰＵに取り込まれた画像データを表示制御部を介して表示部へ送り、前記画像データを前記表示部の表示パネルに表示する携帯端末装置の情報表示方法において、
休止期間中に前記表示部の表示パネルに表示する休止画像データを予め前記表示部に格納することと、ユーザが前記携帯端末装置を操作中には前記ＣＰＵから送られる画像データを前記表示部の表示パネルに表示し、ユーザが前記携帯端末装置の操作を休止する期間中には、前記格納された休止画像データを前記表示部の表示パネルに表示することとよりなることを特徴とする携帯端末装置の情報表示方法。
【００１０】
（２）前記ＣＰＵから送られる画像データが前記休止画像データと一部分のみ相違する場合には、前記休止画像データの前記一部分のみ更新して前記表示部の表示パネルに表示することを特徴とする請求項１に記載の携帯端末装置の情報表示方法。
【００１１】
（３）前記携帯端末装置が休止状態から操作状態となるとき、前記ＣＰＵからの画像データおよび前記休止画像データを組み合わせて前記表示部の表示パネルに表示することを特徴とする請求項１又は２に記載の携帯端末装置の情報表示方法。
【００１２】
（４）前記休止画像として複数の休止画像データが格納されることを特徴とする請求項１、２又は３に記載の携帯端末装置の情報表示方法。
【００１３】
（５）基地局を介して無線により情報を送受信し、該送受信する情報をＣＰＵから表示制御部を介して表示部へ送り、該表示部の表示パネルに表示する携帯端末装置において、
前記表示部は画像記憶部を備え、前記ＣＰＵから送られる画像データを休止画像データとして予め格納し、前記ＣＰＵから更新された画像データが送信されないとき前記表示部の表示パネルには前記画像記憶部に格納された休止画像データを表示することを特徴とする携帯端末装置。
【００１４】
（６）前記画像記憶部は、複数の画像データを前記休止画像データとして格納することを特徴とする請求項５に記載の携帯端末装置。
【００１５】
（７）前記表示部の表示パネルはカラー液晶パネルであり、前記表示制御部は前記ＣＰＵから送られる画像データをＲＧＢ信号に変換することを特徴とする請求項５又は６に記載の携帯端末装置。
【発明の効果】
【００１６】
本発明の携帯端末装置およびその情報表示方法によると、次の如き実用上の顕著な効果が得られる。即ち、表示部に画像記憶部を備え、この画像記憶部に予め１以上の休止画像データを格納し、携帯端末装置をユーザが操作していないときはこの画像記憶部からの休止画像データを表示パネルに表示するので、ＣＰＵを休止させ、消費電力を大幅に低減することが可能であり、内蔵電池の動作時間の延長が可能である。更に、表示部の表示パネルには常時画像データが表示されており、またＣＰＵからの更新画像データが休止画像データと類似する場合には、休止画像の一部分を変更して表示するので、表示画像の応答性が良好である。
【実施例１】
【００１７】
以下、本発明による携帯端末装置およびその情報表示方法の好適実施例の構成および動作を、添付図面を参照して詳細に説明する。
【００１８】
先ず、図１は、本発明による携帯端末装置の基本構成を示すブロック図である。この携帯端末装置１０は、ＣＰＵ（中央処理部）１２、システムメモリ１４、キー入力部１５、送受信部１６、表示制御部１７およびＬＣＤ表示部（又は表示部）２０により構成される。そして、ＣＰＵ１２、システムメモリ１４、キー入力部１５、送受信部１６および表示制御部１７は、バス１３により相互接続されている。
【００１９】
図１に示す携帯端末装置１０は、画像データを記憶可能なメモリ（又はビデオＲＡＭ）等を含むＣＰＵ１２を搭載しており、バス１３を介して装置内の各部と接続され、装置内各部の動作を制御可能に構成されている。システムメモリ１４は、ＣＰＵ１２が実行するための各種の制御用プログラム、画像および音楽等の内蔵コンテンツデータの格納およびこれらデータの一時保管等に使用する作業用エリアである。
【００２０】
キー入力部１５は、ユーザ（使用者）が操作する各種のキーからのキー入力を受け付ける入力回路である。表示制御部１７は、ＬＣＤ表示部２０を制御する制御回路である。送受信部１６は、キー入力部１５又はバスを介して接続されたカメラ等から入力した文字又は画像データ等の情報を、基地局（図示せず）を介して通信相手の端末等へ送信する又は基地局を介して相手端末から情報を受信する無線送受信部である。この送受信部１６は、無線通信のためのアンテナ（図示せず）を含んでいる。
【００２１】
表示制御部１７は、ＣＰＵ１２（のビデオＲＡＭ）から送られる画像データをＲＧＢ信号へ変換してＬＣＤ表示部２０へ画像データとして送る。ＬＣＤ表示部２０は、表示制御部１７から送られてくる画像データ（又は情報）を表示する。
【００２２】
次に、図２は、図１に示す携帯端末装置１０のうち、情報表示に関連する主としてＬＣＤ表示部２０の詳細構成を示すブロック図である。ＬＣＤ表示部２０は、画像記憶部２１およびカラーの液晶パネル（又は表示パネル）２２により構成される。
【００２３】
このＬＣＤ表示部２０は、ＲＧＢ信号として表示制御部１７から送られてきた画像データを液晶パネル２２へ表示する。表示制御部１７は、ＬＣＤ表示部２０内の画像記憶部２１に対しても画像データを書き込み可能である。ＣＰＵ１２から表示制御部１７を介して画像データが送られない場合には、ＬＣＤ表示部２０内部の画像記憶部２１に格納された画像データを液晶パネル２２へカラー表示する。
【００２４】
次に、図１および図２を参照して、本発明による携帯端末装置１０の動作を説明する。通常、ＣＰＵ１２は、表示制御部１７を介してＬＣＤ表示部２０へ表示したい画像データを送り、液晶パネル２２へカラー表示する。表示制御部１７は、ＣＰＵ１２から送られる画像データをＲＧＢ信号へ変換し、ＬＣＤ表示部２０へ画像データとして送っている。ＣＰＵ１２が表示制御部１７を介してＬＣＤ表示部２０へ画像データを送り続けることにより、動きのある画像（即ち、動画）に対して応答性が良くすることを可能にしている。このため、携帯端末装置１０をＴＶ電話装置等として、所謂即時（又はリアルタイム）モードで使用する場合には、ＣＰＵ１２は、絶え間なく画像データを送り続ける必要がある。
【００２５】
一方、携帯端末装置１０をユーザが操作していない場合には、画像データの更新を行う必要はない。しかし、液晶パネル２２の画像を消すことはできないため、ＬＣＤ表示部２０の液晶パネル２２に何らかの表示が必要である。従って、ＣＰＵ１２は、画像更新の有無に関係なく画像データを送り続けることになる。このことにより表示応答を良くして動画等の動きのある画像を鮮明に表示するには威力を発揮する。その反面、ＣＰＵ１２へ常に一定の負荷がかかるため、ＣＰＵ１２は休止することができず、消費電流を十分に低減できない。
【００２６】
そこで、本発明では、ＣＰＵ１２が画像データの継続した送信を休止可能にするために、ＬＣＤ表示部２０に画像記憶部２１を設けている。ユーザが携帯電話端末１０を操作してないときの画像（休止画像）を予めＣＰＵ１２がＬＣＤ表示部２０内に設けられた画像記憶部２１に書き込んでおく。そして、ユーザが携帯端末装置１０を操作していない休止状態になった場合には、この画像記憶部２１から液晶パネル２２へ画像データを送ることにより、ＣＰＵ１２の画像データの更新動作を中止して、ＣＰＵを休止させることが可能である。
【００２７】
更に、画像更新するエリアが小さいとき、即ちＣＰＵ１２から送られてくる画像データが、画像記憶部２１に記憶された休止画像と類似しており、変更される画像データが少量の場合には、この画像記憶部２１の休止画像の一部の画像データのみを更新することにより液晶パネル２２の表示を変更できる。また、画像記憶部２１のサイズ（記憶容量）を増大することにより、複数の画像データを休止画像として保存しておくことも可能となる。
【００２８】
以上、本発明による携帯端末装置およびその情報表示方法の公的実施例の構成および動作を詳述した。しかし、斯かる実施例は、本発明の単なる例示に過ぎず、何ら本発明を限定するものではないことに留意されたい。本発明の要旨を逸脱することなく、特定用途に応じて種々の変形変更が可能であること、当業者には容易に理解できよう。例えば、画像記憶部のサイズ、即ち記憶容量を増大することにより複数の休止画像を保存し、画像記憶部の複数の休止画像データ又は特定の休止画像データおよびＣＰＵからの画像データを組み合わせて液晶パネルに表示することも可能である。
【図面の簡単な説明】
【００２９】
【図１】本発明による携帯端末装置の基本構成を示すブロック図である。
【図２】図１に示す携帯端末装置の画像表示に関連する部分の詳細ブロック図である。
【符号の説明】
【００３０】
１０  携帯端末装置
１２  ＣＰＵ
１３  バス
１４  システムメモリ
１５  キー入力部
１６  送受信部
１７  表示制御部
２０  表示部（ＬＣＤ表示部）
２１  画像記憶部
２２  表示パネル（カラー液晶パネル）
【図１】
2005208455.tif 000003
【図２】
2005208455.tif 000004